(57)【要約】【課題】施工が容易であり、モルタル又はコンクリートを成型した後、上面布地を取り除くことも容易な繊維製型枠を提供すること。【解決手段】本発明は、複数の上面連結部５を有する上面布地１と、複数の下面連結部８を有する下面布地２と、上面布地１及び下面布地２のそれぞれの縁を連結する側面布地３と、該側面布地３に設けられた流動性モルタル又は流動性コンクリートの注入部１１と、を備える直方体状の繊維製型枠１０であって、上面連結部５と下面連結部８とが、タッチファスナー紐２０で連結されている繊維製型枠１０である。【選択図】図１
2011106096.tif 000002
【特許請求の範囲】
【請求項１】
複数の上面連結部を有する上面布地と、
複数の下面連結部を有する下面布地と、
前記上面布地及び前記下面布地のそれぞれの縁を連結する側面布地と、
該側面布地に設けられた流動性モルタル又は流動性コンクリートの注入部と、
を備える直方体状の繊維製型枠であって、
前記上面連結部と前記下面連結部とが、タッチファスナー紐で連結されている繊維製型枠。
【請求項２】
前記上面連結部が、隣合う一対の上面孔からなり、
前記下面連結部が、隣合う一対の下面孔からなり、
前記タッチファスナー紐が、前記一対の上面孔及び前記一対の下面孔に挿通され、リング状になっている請求項１記載の繊維製型枠。
【請求項３】
前記上面連結部が、前記上面布地の一部を織成しないことにより形成された上面弛み部からなり、
前記下面連結部が、前記下面布地の一部を織成しないことにより形成された下面弛み部からなり、
前記タッチファスナー紐が、前記上面弛み部及び前記下面弛み部に挿通され、リング状になっている請求項１記載の繊維製型枠。
【請求項４】
前記上面連結部が、前記上面布地の横方向及び縦方向に対して、それぞれ一定間隔で複数配設されており、前記下面連結部が、前記下面布地の横方向及び縦方向に対して、それぞれ一定間隔で複数配設されている請求項１〜３のいずれか一項に記載の繊維製型枠。
【請求項５】
前記タッチファスナー紐が繊維製である請求項１〜４のいずれか一項に記載の繊維製型枠。
【請求項６】
前記タッチファスナー紐が、ベルト状の本体片と、該本体片に接続可能な固定片とを有し、
前記上面布地と、前記下面布地との間で、前記本体片が前記固定片によって固定されている請求項１〜５のいずれか一項に記載の繊維製型枠。
【請求項７】
前記上面布地のうち、前記タッチファスナー紐を連結させることにより応力がかかる部分の強度が、応力がかからない部分の強度よりも大きくなっており、
前記下面布地のうち、前記タッチファスナー紐を連結させることにより応力がかかる部分の強度が、応力がかからない部分の強度よりも、大きくなっている請求項１〜６のいずれか一項に記載の繊維製型枠。
【請求項８】
前記上面布地の透水率が１．０×１０−４ｍｍ３／Ｓ以下であり、前記下面布地の透水率が１．０×１０−４〜１．０×１０−３ｍｍ３／Ｓである請求項１〜７のいずれか一項に記載の繊維製型枠。
【請求項９】
請求項１〜８のいずれか一項に記載の繊維製型枠を用いたモルタルの施工方法であって、
前記注入部から流動性モルタルを注入し、
水分を主として前記下面布地から放出させることにより前記流動性モルタルを硬化させるモルタルの施工方法。
【請求項１０】
請求項９記載のモルタルの施工方法を遂行した後、タッチファスナー紐を切断して、上面布地を取り除く、モルタルの施工方法。
【発明の詳細な説明】
【技術分野】
【０００１】
本発明は、繊維製の成型用型枠に関する。
【背景技術】
【０００２】
土木、建築工事において、モルタル構造物及びコンクリート構造物が頻繁に用いられる。
かかるモルタル構造物は、型枠にモルタルを流し込み、固めることによって製造されるものであり、コンクリート構造物は、同様に、型枠にコンクリートを流し込み、固めることによって製造されるものである。
【０００３】
ところで、型枠の製作には熟練した技術と多くの労力が必要であり、特に、大型のモルタル構造物やコンクリート構造物を製造する際には、型枠に、直接、大きな圧力が加わるので、型枠自体も大きなものとしなければならない。そうすると、型枠の重量も大きくなり、作業性が低下することになる。また、足場が必要な高所での作業は危険である。
【０００４】
一方、これに対し、軽量な繊維を使った布製型枠が知られている。
例えば、多重織り組織の織物からなる織物製モルタル及びコンクリート成型用型枠が挙げられる（例えば、特許文献１参照）。
かかる織物製モルタル及びコンクリート成型用型枠は、箱型であり、上面地組織と下面地組織とそれらを結合するトジ糸とより構成されている。
【０００５】
そして、織物製モルタル及びコンクリート成型用型枠には、トジ糸が上面地組織と下面地組織と織り込まれて全体が袋織りの一体組織となっているので、例えば、上面地組織と下面地組織とを異なる材料のものにすることはできない。
また、トジ糸を上下方向にジグザグに設け充填部空間の大きさを規定しているので、袋織りの織成時に一義的に厚みが決まってしまう欠点がある。
【先行技術文献】
【特許文献】
【０００６】
【特許文献１】特開２００１−６４９７２号公報
【発明の概要】
【発明が解決しようとする課題】
【０００７】
しかしながら、上記特許文献１記載の織物製モルタル及びコンクリート成型用型枠は、トジ糸の代わりに紐等を用い、二枚の布地それぞれに設けた連結部を結び止めているので、結び目の緩みが生じ、その結果、型枠の厚みが凸凹となる問題がある。
また、上記特許文献１記載を含む従来の織物製モルタル及びコンクリート成型用型枠は、仮設材としてモルタル又はコンクリートを充填して構造物とし、一定期間使用した後、必要により撤去する場合もあるが、上記織物製モルタル及びコンクリート成型用型枠は、上面地組織及び下面地組織がトジ糸により連結されているので、モルタル又はコンクリートを成型した後、それから上面地組織を剥離して取り除くのが極めて困難である。このため回収も不可能であり、コンクリートリサイクル材にならず全て産業廃棄物になってしまう。
【０００８】
本発明は上記事情に鑑みてなされたものであり、少なくとも上面地組織及び下面地組織の自由な選択が可能であり、厚さの変更も可能な繊維製型枠を提供することを目的とする。
【課題を解決するための手段】
【０００９】
本発明者らは、上記課題を解決するため鋭意検討したところ、上面布地と下面布地とを、上面連結部と下面連結部とで部分的に連結することにより、上記課題を解決し得ることを見出し、本発明を完成するに至った。
【００１０】
すなわち、本発明は、（１）複数の上面連結部を有する上面布地と、複数の下面連結部を有する下面布地と、上面布地及び下面布地のそれぞれの縁を連結する側面布地と、該側面布地に設けられた流動性モルタル又は流動性コンクリートの注入部と、を備える直方体状の繊維製型枠であって、上面連結部と下面連結部とが、タッチファスナー紐で連結されている繊維製型枠に存する。
【００１１】
本発明は、（２）上面連結部が、隣合う一対の上面孔からなり、下面連結部が、隣合う一対の下面孔からなり、タッチファスナー紐が、一対の上面孔及び一対の下面孔に挿通され、リング状になっている上記（１）記載の繊維製型枠に存する。
【００１２】
本発明は、（３）上面連結部が、上面布地の一部を織成しないことにより形成された上面弛み部からなり、下面連結部が、下面布地の一部を織成しないことにより形成された下面弛み部からなり、
タッチファスナー紐が、上面弛み部及び下面弛み部に挿通され、リング状になっている上記（１）記載の繊維製型枠に存する。
【００１３】
本発明は、（４）上面連結部が、上面布地の横方向及び縦方向に対して、それぞれ一定間隔で複数配設されており、下面連結部が、下面布地の横方向及び縦方向に対して、それぞれ一定間隔で複数配設されている上記（１）〜（３）のいずれか一つに記載の繊維製型枠に存する。
【００１４】
本発明は、（５）タッチファスナー紐が繊維製である上記（１）〜（４）のいずれか一つに記載の繊維製型枠に存する。
【００１５】
本発明は、（６）タッチファスナー紐が、ベルト状の本体片と、該本体片に接続可能な固定片とを有し、上面布地と、下面布地との間で、本体片が固定片によって固定されている上記（１）〜（５）のいずれか一つに記載の繊維製型枠に存する。
【００１６】
本発明は、（７）上面布地のうち、タッチファスナー紐を連結させることにより応力がかかる部分の強度が、応力がかからない部分の強度よりも大きくなっており、下面布地のうち、タッチファスナー紐を連結させることにより応力がかかる部分の強度が、応力がかからない部分の強度よりも、大きくなっている上記（１）〜（６）のいずれか一つに記載の繊維製型枠に存する。
【００１７】
本発明は、（８）上面布地の透水率が１．０×１０−４ｍｍ３／Ｓ以下であり、下面布地の透水率が１．０×１０−４〜１．０×１０−３ｍｍ３／Ｓである上記（１）〜（７）のいずれか一つに記載の繊維製型枠に存する。
【００１８】
本発明は、（９）上記（１）〜（８）のいずれか一つに記載の繊維製型枠を用いたモルタルの施工方法であって、注入部から流動性モルタルを注入し、水分を主として下面布地から放出させることにより流動性モルタルを硬化させるモルタルの施工方法に存する。
【００１９】
本発明は、（１０）上記（９）記載のモルタルの施工方法を遂行した後、タッチファスナー紐を切断して、上面布地を取り除く、モルタルの施工方法に存する。
【発明の効果】
【００２０】
本発明の繊維製型枠においては、上面布地と下面布地とを、上面連結部と下面連結部とをタッチファスナー紐で連結するだけで、組み付けることができるので、上面布地と下面布地とを異なった布地（すなわち、強度、厚さ、布地組織、材質等の異なった布地）とすることができ、上下布地の組み合わせの選択が可能である。また組み付け時に厚みを調整することが可能である。
【００２１】
このとき、タッチファスナー紐が、一対の上面孔及び一対の下面孔に挿通され、リング状になっている場合、タッチファスナー紐の布地外側に露出している部分を切断すれば上面布地を剥がして取り除くことができ、また、露出したモルタル（又はコンクリート）を破砕して下面布地も剥がすことができる。したがって、回収が容易で、またリサイクルすることも可能となる。
【００２２】
上記繊維製型枠においては、上面連結部を上面弛み部とし、下面連結部を下面弛み部とする場合、容易に上面連結部及び下面連結部を織成できる。
また、孔を設けないため、流動性モルタル又は流動性コンクリートが流出することを抑制できる。
【００２３】
上記繊維製型枠は、上面連結部が、上面布地の横方向及び縦方向に対して、それぞれ一定間隔で複数配設されており、下面連結部が、下面布地の横方向及び縦方向に対して、それぞれ一定間隔で複数配設されていると、得られるモルタルの厚みを全体的に略一定とすることができる。
【００２４】
上記繊維製型枠においては、タッチファスナー紐が繊維製であると、丈夫であり、且つ切断し易いという利点がある。
【００２５】
上記繊維製型枠においては、タッチファスナー紐が、ベルト状の本体片と、該本体片に接続可能な固定片とを有し、上面布地と、下面布地との間で、本体片が固定片によって固定されているものであると、連結長さを自由に変えられるという利点がある。
【００２６】
上記繊維製型枠においては、上面布地のうち、タッチファスナー紐を連結させることにより応力がかかる部分の強度が、応力がかからない部分の強度よりも大きくなっており、下面布地のうち、タッチファスナー紐を連結させることにより応力がかかる部分の強度が、応力がかからない部分の強度よりも、大きくなっていると、より破れにくい。
【００２７】
上記繊維製型枠は、上面布地の透水率１．０×１０−４ｍｍ３／Ｓ以下であり、下面布地の透水率が１．０×１０−４〜１．０×１０−３ｍｍ３／Ｓであると、水分が下面布地から多く放出されることになる。このため、上面布地が汚れなくなるので、施工後の洗浄水が大幅に削減できるという利点がある。
【図面の簡単な説明】
【００２８】
【図１】図１は、第１実施形態に係る繊維製型枠を概略的に示す図であり、図１（ａ）は、斜視図であり、図１（ｂ）は、図１（ａ）のＩ−Ｉ面の断面図である。
【図２】図２は、第１実施形態に係る繊維製型枠に用いられるタッチファスナー紐を示す正面図である。
【図３】図３の（ａ）〜図３の（ｆ）は、本発明の繊維製型枠を用いたモルタルの施工方法を概略的に示す断面図である。
【図４】図４は、第２実施形態に係る繊維製型枠を概略的に示す断面図である。
【図５】図５は、本発明に係る繊維製型枠に用いられるタッチファスナー紐の他の実施形態を示す正面図である。
【図６】図６は、本発明に係る繊維製型枠に用いられるタッチファスナー紐の他の実施形態を示す正面図である。
【図７】図７は、本発明に係る繊維製型枠の他の実施形態を示す概略的に示す部分断面図である。
【発明を実施するための形態】
【００２９】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００３０】
［第１実施形態］
まず、本発明に係る繊維製型枠の第１実施形態について説明する。
図１は、第１実施形態に係る繊維製型枠を概略的に示す図であり、図１（ａ）は、斜視図であり、図１（ｂ）は、図１（ａ）のＩ−Ｉ面の断面図である。
図１（ａ）及び図１（ｂ）に示すように、第１実施形態に係る繊維製型枠１０は、複数の上面連結部５を有する上面布地１と、複数の下面連結部８を有する下面布地２と、上面布地１及び下面布地２のそれぞれの縁を連結する側面布地３と、該側面布地３に設けられた流動性モルタル又は流動性コンクリートの注入部１１と、を備える。
また、繊維製型枠１０は、上面連結部５と下面連結部８とが、タッチファスナー紐２０で連結されている。そのため、上面布地１と下面布地２とを異なった布地（すなわち強度、厚さ、布地組織、材質等の異なった布地）とすることができ、自由な布地の選択が可能である。
【００３１】
繊維製型枠１０は、直方体状となっている。すなわち、矩形状の上面布地１と、上面布地１と同形状の下面布地２とのそれぞれ独立した布片の縁が側面布地３によって連結されている。なお、上面布地１及び側面布地３、並びに、下面布地１及び側面布地３、は縫製により連結されている。
【００３２】
繊維製型枠１０において、側面布地３には、側面布地３から突出した中空状の注入部１１が設けられている。
また、注入部１１に設けられた穴１５は、上面布地１と下面布地２との間の空間に連通開放している。すなわち、注入部１１の穴１５から注入された流動性モルタルは、上面布地１と下面布地２との間の空間にまで到達するようになっている。なお、注入部１は、複数個設けても当然よい。
【００３３】
上記繊維製型枠１０において、上面布地１には、複数の上面連結部５が設けられている。
上面連結部５は、隣合う一対の上面孔６からなり、上面布地１の横方向及び縦方向に対して、それぞれ等間隔で複数配設されている。
一方、下面布地２には、タッチファスナー紐２０と連結させるための複数の下面連結部８が設けられている。
下面連結部８は、隣合う一対の下面孔７からなり、下面布地２の横方向及び縦方向に対して、それぞれ等間隔で複数配設されている。
このため、得られるモルタルの厚みが略一定となり、凸凹した形状になることが抑制される。
【００３４】
このとき、上面布地１の各上面連結部５と、下面布地２の各下面連結部８とは、それぞれ対応する位置に設けられている。
したがって、対応する位置の上面連結部５（一対の上面孔６）及び下面連結部８（一対の下面孔７）に、後述するタッチファスナー紐２０を挿通させて取り付けられることになる。なお、タッチファスナー紐２０は、リング状に取り付けられる。
【００３５】
繊維製型枠１０のサイズは、用途に応じて適宜調整することができる。
施工性の観点から、縦５〜１５ｍ、横５〜１５ｍ、厚み５〜５０ｃｍ程度であることが好ましい。なお、厚みが変わる場合、タッチファスナー紐２０のリングの大きさを調整すればよい。
【００３６】
繊維製型枠１０において、一方の上面布地１の透水率は、他方の下面布地２の透水率以下であることが好ましい。
繊維製型枠１０においては、例えば、河川護岸に施工する場合、流動性モルタルを繊維製型枠１０内に流し込んだ後、水分を自圧により繊維製型枠１０外に放出させる。このとき、上面布地１の透水率が、下面布地２の透水率以下であると、濁った水分は、地壁側の下面布地２から上面布地より多く放出されることになる。そうすると、上面布地１が汚れなくなるので、施工後の繊維製型枠１０の表面を敢えて洗浄することもない。また洗浄するにしても洗浄水が大幅に削減できるという利点がある。
【００３７】
具体的には、上面布地１の透水率は１．０×１０−４ｍｍ３／Ｓ以下であり、下面布地２の透水率は１．０×１０−４〜１．０×１０−３ｍｍ３／Ｓであることが好ましい。なお、透水率は、ＪＩＳ  Ａ  １２１８に準じて測定される。
また、上面布地１が水を通さない遮水性であることがより好ましい。この場合、水分が下面布地２からのみ放出されることになるので、上記効果をより発揮することができる。
【００３８】
繊維製型枠１０において、上面布地１には、ポリエステル樹脂、塩化ビニル樹脂、ポリエチレン樹脂等がラミネートされていてもよい。
かかるラミネートにより、透水性を調整できる。また、水分を透過させ、モルタル又はコンクリートの粒子は透過させないように調整することも可能である。
【００３９】
繊維製型枠１０においては、上面布地１のうち、タッチファスナー紐２０を連結させることにより応力がかかる部分の強度が、応力がかからない部分の強度よりも大きくなっており、同様に、下面布地２のうち、タッチファスナー紐２０を連結させることにより応力がかかる部分の強度が、応力がかからない部分の強度よりも、大きくなっていることが好ましい。この場合、上面布地１又は下面布地２が、より破れにくくなる。
【００４０】
かかる強度を調整する方法としては、例えば、応力がかかる部分の繊維の密度を、応力がかからない部分の繊維の密度の１．５倍以上にして上面布地１又は下面布地２を織成すればよい。
または、応力がかかる部分の繊維の繊度を、応力がかからない部分の繊維の繊度の１．５倍以上にして上面布地１又は下面布地２を織成すればよい。
または、応力がかかる部分にのみ、補強繊維を加えてもよく、或いは添布を施すことも可能である。
【００４１】
繊維製型枠１０においては、上面布地１の方を下面布地２よりも風合いを硬くすることが好ましい。この場合、施工後の寸法安定性が向上する。
【００４２】
繊維製型枠１０において、上面布地１、下面布地２及び側面布地３の材質は、特に限定されないが、汎用性及び強度の観点から、ポリプロピレン繊維、ポリエステル繊維、ポリアミド繊維、アラミド繊維、炭素繊維、ガラス繊維等の合成繊維であることが好ましい。
これらの中でも、上述した透水率及び風合いの観点から、上面布地１及び下面布地２がポリエステル繊維、ポリアミド繊維であることが好ましい。
【００４３】
また、上面布地１、下面布地２及び側面布地３の形態は、編物、組物、織物等の布地が採用されるが、保形性や強度の観点から、織物であることが好ましく、織り方は、平織、綾織、朱子織のいずれであってもよいが、多重織による一体織成であることが好ましい。
【００４４】
図２は、第１実施形態に係る繊維製型枠に用いられるタッチファスナー紐を示す正面図である。
図２に示すように、タッチファスナー紐２０は、ベルト状の本体片１２と、該本体片１２に接続可能な固定片１３とを有する。
本体片１２には、接続部１２ａが設けられており、固定片１３には、被接続部１３ａが設けられている。すなわち、本体片１２の接続部１２ａに、固定片１３の被接続部１３ａを当接することにより、固定片１３が本体片１２に固定されるようになっている。かかるタッチファスナー紐２０を用いることにより、固定片１３を選択でき連結長さが自由に変えられるという利点がある。すなわち、連結長さを変えることは繊維製型枠を変えることとなる。なお、第１実施形態に係る繊維製型枠１０において、本体片１２（接続部１２ａ）及び固定片１３（被接続部１３ａ）は、上面布地１と、下面布地２との間に位置させる。
【００４５】
ここで、本体片１２は、繊維製であることが好ましい。この場合、軽量で強度に優れると共に、動きの自由度を有するようになる。また、後述するように、上面布地１を取り除く際、簡単に切断できるという利点がある。
かかる繊維としては、強度と柔軟性の観点から、ポリエステル繊維、ポリエチレン繊維、ポリプロピレン繊維等が挙げられる。
【００４６】
第１実施形態に係る繊維製型枠は、河川護岸、法面保護工、山腹水路の建設等の多くの用途に好適に用いられる。
【００４７】
次に、繊維製型枠１０を用いたモルタルの施工方法について説明する。
図３の（ａ）〜（ｆ）は、本発明の繊維製型枠を用いたモルタルの施工方法を概略的に示す断面図である。
図３の（ａ）に示すように、まず、上面連結部５が設けられた上面布地１と下面連結部８が設けられた下面布地２とを準備し、これらに注入部１１を有する側面布地３を縫製して、直方体状とする。なお、このとき、上面連結部５と下面連結部８の位置が対応するようにする。
そして、図３の（ｂ）に示すように、上面連結部５の一対の上面孔６と下面連結部８の一対の下面孔７にタッチファスナー紐２０の本体片１２を通して、リング状とし、図３の（ｃ）に示すように、上面布地１と下面布地２と間で、本体片１２に固定片１３を取り付け固定する。
【００４８】
上記繊維製型枠１０においては、上面連結部５及び下面連結部８が、横方向及び縦方向に対して、それぞれ等間隔で複数配設されているので、上記と同様にして、タッチファスナー紐２０を複数取り付ける。
こうして、繊維製型枠１０の組み付けが完成する。
【００４９】
以上のような繊維製型枠１０の組み付けは、前もって、現場以外の場所、例えば工場、で行われ、必要な時に必要な数だけ現場に運ばれる。
【００５０】
上記繊維製型枠１０は、上面布地１と下面布地２とを、上面連結部５と下面連結部８とをタッチファスナー紐２０で単に連結するだけで、簡単に上下面を組み付けることができる。
また、組み付け時にタッチファスナー紐２０によって厚みを調整することも容易である。
【００５１】
繊維製型枠１０が現場に運ばれた後、具体的な施工面に設置されることとなる。
次に、図３の（ｄ）に示すように、繊維製型枠１０の注入部１１の穴１５から流動性モルタルＭを注入する（以下、コンクリートの場合も同様な手順で行われる）。
かかる流動性モルタルＭは、公知のものが適宜用いられる。
そして、繊維製型枠１０内に流動性モルタルＭを充填させ、その後、注入部１１の穴１５（図１参照）を閉じる。
この状態では、モルタル圧によりタッチファスナー紐２０の接続部１２ａと被接続部１３ａが圧着方向に力を受けるので互いに外れ難い。
【００５２】
流動性モルタルに含まれる水分は、自圧により上面布地１又は下面布地２を介して外部に放出され、これにより、流動性モルタルが硬化し、モルタルが形成される。
以上でモルタルの施工方法は完了する。
【００５３】
施工が完了し一定期間経過した後、必要によりモルタル施工面を取り除く追加施工が行われる場合は、繊維製型枠１０の布地とモルタルとを分離しなければならない。
上面布地１を剥がす場合は、図３の（ｅ）に示すように、上面布地１の外側に露出しているタッチファスナー紐２０を切断し、図３の（ｆ）に示すように、上面布地１を引っ張り上げるだけで簡単に剥がすことができる。なお、タッチファスナー紐２０の切断は、カッター等の工具を使って行う。
上面布地１を剥がした跡はモルタルが露出した状態となるので、簡単にそれを破砕することができる。破砕と同時に下面布地２も分離するので下面布地２の回収も容易に行える。
【００５４】
このように、繊維製型枠１０は、タッチファスナー紐２０の外側に出ている部分を切断するだけで、上面布地１を取り除くことができるので、モルタル施工面を取り除く際の作業性が優れる。また上面布地１や下面布地２の回収も容易である。
【００５５】
また、タッチファスナー紐２０で上面連結部５と下面連結部８とを連結することにより、作製されるモルタルは、矩形状に区画されることになる。これにより、得られるモルタルは、厚みが略一定となり、凸凹した形状になることが抑制されることになる。
【００５６】
［第２実施形態］
次に、本発明に係る繊維製型枠の第２実施形態について説明する。
図４は、第２実施形態に係る繊維製型枠を概略的に示す断面図である。
図４に示すように、第２実施形態に係る繊維製型枠５０は、複数の上面連結部を有する上面布地５１と、複数の下面連結部を有する下面布地５２と、上面布地５１及び下面布地５２のそれぞれの縁を連結する側面布地（図示しない）と、該側面布地に設けられた流動性モルタル又は流動性コンクリートの注入部（図示しない）と、を備える。すなわち、第２実施形態に係る繊維製型枠５０は、上面連結部及び下面連結部の形状が異なること以外は、第１実施形態に係る繊維製型枠５０と同様である。
【００５７】
上面連結部は、上面布地５１の一部を織成しないことにより繊維糸を内側に弛ませて形成された上面弛み部５５からなり、同様に、下面連結部は、下面布地５２の一部を織成しないことにより繊維を内側に弛ませて形成された下面弛み部５８からなる。
タッチファスナー紐２０は、上面弛み部５５及び下面弛み部５８に挿通され、リング状になっている。
【００５８】
第２実施形態に係る繊維製型枠５０は、上面連結部を上面弛み部５５とし、下面連結部を下面弛み部５８とするので、容易に上面連結部及び下面連結部を織成できる。
また、孔を設けないため、流動性モルタル又は流動性コンクリートが流出することを抑制できる。
さらに、外側にタッチファスナー紐２０を上面孔や下面孔に通して一旦外に出しまた戻して中に入れるという操作を必要としない。すなわち、タッチファスナー紐２０を上面弛み部や下面弛み部に通すだけでよいので、タッチファスナー紐２０の取り付けも容易である。また、タッチファスナー紐２０が外側に露出しないので、見た目もよい。
【００５９】
繊維製型枠５０においては、上面弛み部５５及び下面弛み部５８に応力がかかる。したがって、上面弛み部５５及び下面弛み部５８（応力がかかる部分）の強度が、その他の部分の強度よりも大きくなっていることが好ましい。すなわち、上面弛み部５５及び下面弛み部５８を構成する繊維糸は布地組織を構成する他の繊維糸より強度の高いものを使う。
【００６０】
かかる強度を調整する方法としては、例えば、上面弛み部５５及び下面弛み部５８の繊維糸の密度を、その他の部分の繊維糸の密度の１．５倍以上にして上面布地１又は下面布地２を織成すればよい。
または、上面弛み部５５及び下面弛み部５８の繊維糸の繊度を、その他の部分の繊維糸の繊度の１．５倍以上にして上面布地１又は下面布地２を織成すればよい。
または、上面弛み部５５及び下面弛み部５８にのみ、補強繊維を加えてもよい。
【００６１】
以上、本発明の好適な実施形態について説明したが、本発明は上記実施形態に限定されるものではない。
【００６２】
例えば、第１実施形態に係る繊維製型枠１０おいては、上面連結部５及び下面連結部８が、横方向及び縦方向に対して、それぞれ等間隔で複数配設されているが、斜め方向に複数配設されていてもよく、配設される数は限定されない。また、間隔も多少異なってもかまわない。
【００６３】
第１実施形態に係る繊維製型枠１０を用いたモルタルの施工方法においては、施工面に設置する前段階で流動性モルタルＭを充填させ、その後、吊り上げて河川護岸施工面に設置することも可能である。
【００６４】
第１実施形態に係る繊維製型枠１０において、タッチファスナー紐２０は、本体片１２と固定片１３とからなるものであるが、本体片と固定片とが一体となったものであってもよい。
図５は、本発明に係る繊維製型枠に用いられるタッチファスナー紐の他の実施形態を示す正面図である。
図５に示すように、タッチファスナー紐２０ａは、ベルト状の本体片２２からなり、該本体片２２の一端に接続部１４ａが設けられており、他端に被接続部１４ｂが設けられている。すなわち、本体片２２の接続部１４ａに、被接続部１４ｂを当接することにより、リング状で固定されることになる。
【００６５】
また、図５に示すタッチファスナー紐２０ａの接続部１４ａ及び被接続部１４ｂが、本体片全体に設けられていてもよい。
図６は、本発明に係る繊維製型枠に用いられるタッチファスナー紐の他の実施形態を示す正面図である。
図６に示すように、タッチファスナー紐２０ｂは、ベルト状の本体片２３からなり、該本体片２３の一面に接続部１６ａが設けられており、他面に被接続部１６ｂが設けられている。すなわち、本体片２３の接続部１６ａに、被接続部１６ｂを当接することにより、リング状で固定されることになる。
【００６６】
第１実施形態に係る繊維製型枠１０においては、上面布地１と、下面布地２との間で、本体片１２が固定片１３によって固定されているが、上面布地１の外側で、本体片が固定片によって固定されていてもよい（図７参照）。この場合、上面布地１の表面に露出した固定片１３を取り外すことでタッチファスナー紐２０ｂは簡単に外れる。
【００６７】
第１実施形態に係る繊維製型枠１０においては、上面布地１及び側面布地３、並びに、下面布地１及び側面布地３、は縫製により連結されているが、上面布地、側面布地、及び、下面布地が、一体の袋として織成させたものであってもよい。この場合、上面布地と下面布地との繊維の密度や繊度を調整すべきである。
また、繊維製型枠１０の形も実施形態のような直方体状に限らず、平面視で例えば、台形、平行四辺形等の異なった形も採用可能である。
【００６８】
第１実施形態に係る繊維製型枠において、図２に示すタッチファスナー紐２０は、本体片１２と接続部１２ａとが別体となっており、固定片１３と被接続部１３ａとが別体となっているが、それぞれ一体となっていてもよい。なお、図５に示すタッチファスナー紐２０ａも同様に、本体片２２と、接続部１４ａと、被接続部１４ｂとが一体であっても別体であってもよい。また、図６に示すタッチファスナー紐２０ｂも同様に、本体片２３と、接続部１６ａと、被接続部１６ｂとが一体であっても別体であってもよい。
【産業上の利用可能性】
【００６９】
本発明に係る繊維製型枠は、上面地組織及び下面地組織の自由な選択が可能であり、組み付け時に厚さの変更も容易に可能である特徴があり、この点を適用する限りにおいて河川護岸、法面保護工、山腹水路の建設等の広範囲の用途に好適に用いられる。
【符号の説明】
【００７０】
１，５１・・・上面布地
２，５２・・・下面布地
３・・・側面布地
５・・・上面連結部
６・・・上面孔
７・・・下面孔
８・・・下面連結部
１０，５０・・・繊維製型枠
１１・・・注入部
１２,２２，２３・・・本体片
１２ａ,１４ａ，１６ａ・・・接続部
１３・・・固定片
１３ａ,１４ｂ，１６ｂ・・・被接続部
１５・・・穴
２０,２０ａ，２０ｂ・・・タッチファスナー紐
５５・・・上面弛み部
５８・・・下面弛み部
Ｍ・・・流動性モルタル
【図１】
2011106096.tif 000003
【図２】
2011106096.tif 000004
【図３】
2011106096.tif 000005
【図４】
2011106096.tif 000006
【図５】
2011106096.tif 000007
【図６】
2011106096.tif 000008
【図７】
2011106096.tif 000009